(57)【要約】【課題】簡単に着ることができると共に、外見も綺麗に着ることができる和服用下着を提供する。【解決手段】上衣と下衣スカートからなる二部式の和服用下着であって、下衣スカートは、一枚の布を巻き回した形となっており、その上前及び下前のそれぞれの褄先を斜め上に上げた裾すぼまり状態で、その上端部が固定されていることで、この下衣スカートをはくだけで簡単に裾すぼまりを実現できる。また、上衣の半衿のところには、奥衿と左右とに３分割された衿芯が縫い付けられており、衿芯があっても簡単に畳める。また、上衣の衿には、背面側に垂れを設けて、その垂れを引っ張ることで簡単に衣紋抜きを作ることができ、この垂れを紐で固定することで着崩れを防止できる。【選択図】図１
2016089300.tif 000002
【特許請求の範囲】
【請求項１】
上衣と下衣スカートからなる二部式の和服用下着であって、
上記下衣スカートは、一枚の布を巻き回した形となっており、その上前及び下前のそれぞれの褄先を斜め上に上げた裾すぼまり状態で、その上端部が固定されている、
ことを特徴とする和服用下着。
【請求項２】
上記下衣スカートの上端部全周には、上記下衣スカートを着たときに腰の位置で保持するためのゴムが取り付けられている、
請求項１記載の和服用下着。
【請求項３】
上記上衣の衿には、半襟が縫いつけられており、
上記衿と半襟との間の空間には、可撓性を有する薄板状の衿芯が入っており、
上記衿芯は、奥衿の衿芯と、前側の左右の衿芯との間には隙間が形成されることで、それぞれ独立した別部材となっている、
請求項１記載の和服用下着。
【請求項４】
上記衿芯は、奥衿の衿芯と、前側の左右の衿芯との間に隙間が形成された状態で、それぞれが衿に縫い付けられている、
請求項３記載の和服用下着。
【請求項５】
上記上衣の後身頃には、奥衿の下端部に取り付けられた衣紋抜き調整用の垂れが取り付けられており、
上記垂れは、衣紋抜きの調整がされた後、上記垂れに取り付けられた紐によって固定される、
請求項１記載の和服用下着。
【請求項６】
上記垂れに取り付けられた紐は、その少なくとも一部にゴム紐となっている、
請求項５記載の和服用下着。
【請求項７】
上記垂れの下端部は、上記上衣の裾より長くも下に位置している、
請求項５又は６に記載の和服用下着。
【発明の詳細な説明】
【技術分野】
【０００１】
本発明は、和服用下着に関するものであり、襦袢に好適なものである。
【背景技術】
【０００２】
女性が和服を着る際に、肌襦袢や、肌襦袢と長着（着物）の間に長襦袢を着用している。この長襦袢の形状は、着物に似ており、着丈に仕立てられたり、またおはしょりが出来るよう仕立てられたりしているものなどがある。
着用の際には前もって衿ぐり部分に半衿を縫い付けておき、単や袷（あわせ）のほかに、胴裏を省いた胴抜（どうぬき）仕立てなどがある。
【０００３】
また、襦袢として、上下に分かれた二部式のものも知られている。
特許献１は、着付けの技術がなくとも簡単に着られ、盛装用途にも耐えうる本格的な着物を実現するため、上下二部式の着物であり、１上衣の着丈調節ができ、着物の「おはしょり」をしても美観を損なわず、二部式の着物だとは気づかれなくしたものがある。
特許文献２には、和服上衣と和服スカートとからなり衿止め具と着脱手段付き伊達じめや紐、紐通し、着脱手段を付設した上下２部式婦人用和服とし、長襦袢上衣と長襦袢スカートとからなり着脱手段等を付設した上下２部式婦人用長襦袢として、婦人用和服、婦人用長襦袢の着用性及び汎用性を高めたものが開示されている。
【０００４】
長襦袢の構造として、特許文献３には、和服着付け初心者において、正しく簡易に着付けができ、しかも着崩れを防止する用具を用い、使用した後、用具を取り除いて丸洗いのできる長襦袢として、長襦袢左右の衿先に上又は下の符号を付し、その上辺部に短冊状平面ファスナーを設け、長襦袢の内側背面の力布の下部に衿抜き用紐通し布に、衿抜き通し紐の平面フアスナを付した部分が交互になるように２本の紐を揃えて通し、それぞれ紐の端部及びを身八ッ口から外に出してなり、更に、衿２の内側に衿芯装着する衿芯袋を設けるとともにその左端部内側に衿芯着脱穴を設けてなる長襦袢が記載されている。
また特許文献４には、伝統的縫製の着物でありながら、簡易きもののように，前身頃の身八口を通してきものの内から外へ抜けて背側を回って前側へ回される第１の衿合わせ用ベルトと、上前側となる前身頃側の衿に取り付けられ第１の衿合わせ用ベルトと前側で連結される第２の衿合わせ用ベルトと、前身頃の着丈並びにきものの腰部付近を固定する腰部固定用ベルトと、後身頃の腰部付近の内側の面に取り付けられた後身頃用着丈調節ベルトとを備え、後身頃用着丈調節ベルトを着用者の身体に巻き付けて後身頃の着丈位置を調整してから、腰部固定用ベルトを用いて前身頃の着丈を調整しながら下見頃側を固定し、他方、第１及び第２の衿合わせ用ベルトを用いて衿の形を整え衿合わせてから上身頃側を固定するようにしてものが開示されている。
【先行技術文献】
【特許文献】
【０００５】
【特許文献１】特開２００７−０１６３７２号公報
【特許文献２】特開２００３−０４１４０３号公報
【特許文献３】特開２００２−２８５４０２号公報
【特許文献４】特開２０１３−００２０２１号公報
【発明の概要】
【発明が解決しようとする課題】
【０００６】
従来の二部式のものであっても、その下の部分が腰巻タイプの長襦袢は、裾合わせが難しかったし、また裾丈の長さの調整が難しかった。
裾同士が真っ直ぐ合わせ平らになると、歩いているときに前が開きやすくなって、きれいに着られないため、着るときに着物の右の褄先を少し上げ 、腰から下への裾の輪郭線が少し細い筒形につぼまるように着物の裾を体に添わせる、いわゆる「裾すぼまり」に仕上げようとすると、裾合わせを上手に決めるのに時間がかかり、特に和服を着慣れない人にとってはとても難しかった。
また一方、「裾すぼまり」を出すために、裾の先を糸などで固定してしまうと、かえって裾の部分が邪魔になってしまうという問題があった。
【０００７】
本発明は上記課題を解決するためになされたものであって、簡単に着ることができると共に、外見も綺麗に着ることができる和服用下着を提供することを目的とする。
【０００８】
上記課題を解決するため、本発明の１つ観点にかかる和服用下着は、上衣半襦袢（以下、単に、「上衣」という。）と下衣スカートからなる二部式の和服用下着（襦袢）であって、上記下衣スカートは、一枚の布を巻き回した形となっており、その上前及び下前のそれぞれの褄先を斜め上に上げた裾すぼまり状態で、その上端部が固定されていることを特徴とする。
【０００９】
上記下衣スカートの上端部全周には、上記下衣スカートを着たときに腰の位置で保持するためのゴムが取り付けられていてもよい。
【００１０】
上記上衣の衿には、半襟が縫いつけられており、上記衿と半襟との間の空間には、可撓性を有する薄板状の衿芯が入っており、上記衿芯は、奥衿の衿芯と、前側の左右の衿芯との間には折りたたみ用の隙間が形成されることで、それぞれ独立した別部材となっていてもよい。
これにより、従来は衿と半衿との間の隙間（空間）に、着るたびに芯の着脱を行う煩わしさがあったが、衿芯が分割されていることでたたむ時もそのままで簡単にたためるようになる。またこの衿芯を縫い付けておくことで、衿芯がずれずにいつでも決まった形になるため、綺麗に着ることができる。
【００１１】
また、上記衿芯は、奥衿の衿芯と、前側の左右の衿芯との間に隙間が形成された状態で、それぞれが衿に縫い付けられていてもよい。
【００１２】
上記上衣の後身頃には、奥衿の下端部に取り付けられた衣紋抜き調整用の垂れが取り付けられており、上記垂れは、衣紋抜きの調整がされた後、上記垂れに取り付けられた紐によって固定されていてもよい。
上記垂れに取り付けられた紐は、その少なくとも一部がゴム紐となっていてもよい。
また、上記垂れの下端部は、上記上衣の裾より長くも下に位置していてもよい。
【発明の効果】
【００１３】
本名発明よれば、二部式となっており、その下衣スカートは履くだけですでに下衣スカートが「裾すぼまり」状態となっていることから、難しい着付けを学ばなくとも、誰でも簡単かつ綺麗に着ることができる。
また、二部式となっている上衣も、背面の垂れを引っ張って調整するだけで、衣紋抜きの具合を調整することができ、自分一人でも綺麗に衣紋抜きを作ることができるし、垂れは紐により固定されることから、着崩れることなく衣紋抜きを保つことができる。
【図面の簡単な説明】
【００１４】
【図１】本発明の実施例にかかる長襦袢を着た状態を示した正面図。
【図２】上記実施例の長襦袢を着た状態を示した背面図。
【図３】上記実施例にかかる長襦袢の下衣スカートを着た状態を示した正面図。
【図４】上記実施例にかかる上衣を展開した状態を示した正面図。
【図５】上記実施形態の衿の部分を示した部分拡大図。
【図６】上記実施形態の上衣の背面を示した背面図。
【発明を実施するための形態】
【００１５】
本発明かかる実施形態について図面を参照して説明する、
図１以下は、本発明を長襦袢に適応した一の本実施形態を示したものである。
図１、図２において、本実施形態の長襦袢は、上衣１と下衣スカート２の上下二部構成となっている。
下衣スカート２は、図３に示すように１枚の布を巻きまわして、上端の縫合部２ａのみを縫い合わせることで、筒状に構成されている。この上端部２ａを縫いあわせるにあたっては、上前２０ｂ及び下前２０ｂのそれぞれの褄先を斜め上に上げることにより、下衣スカート２は、腰から下への裾の輪郭線が少し細い筒形につぼまる形となる、いわゆる「裾すぼまり」状態となっている。
また下衣スカート２の上端部全周にわたってゴム２１を通るための輪が作られ、この輪に通ゴム２１が通されている。このゴム２１により、下衣スカート２を履いたときに、下衣スカート２を腰のところに保持することができ、簡単に履くことができる。
【００１６】
上衣１は、図４に示すように前身頃の上前１１ａ、下前１１ｂ、後身頃１２、衿１４、と衿１４に縫い付けられた半衿１３、袖１５を有している。
上前１１ａは長襦袢を着たときに手前側になる前身頃であり、下前１１ｂは下側になる前身頃である。衿１４には半衿１３が縫い付けられており、この半衿１３は長襦袢の手前側の半衿１３ａ、１３ｂ及び、首の後側の奥衿１３ｃから構成されている。半衿１３と衿１４との間の中空部には、それぞれ前側に衿芯１３１ａ及び１３１ｂ，奥衿１３ｃに衿芯１３１ｃがそれぞれ縫い付けられている。衿芯１３１ａ及び１３１ｂ，１３１ｃは、それぞれ半襟１３の縫目側で数箇所（図示の例は３箇所）が留められている。
この衿芯１３１ａ、１３１ｂ、１３１ｃは、例えばプラスチック、樹脂などにより構成され、可撓性を有する薄板状に形成されている。このように衿芯１３１ａ、１３１ｂ、１３１ｃは、薄板状をしていることから半衿１３ａ、１３ｂ、奥衿１３ｃがしっかりと伸びた状態に保持されるとともに、可撓性を有することから、長襦袢を着たときでも撓むことで違和感無く着ることができる。
衿芯１３１ａ、１３１ｂは、先端（図示下端）が円弧状に形成され、全ての角が丸くすることで、着る人の手などが当たっても痛くないようになっている。また、衿芯１３１ａ、１３１ｂと、奥衿１３ｃとの間のそれぞれの端部は、衿肩あきに沿って、後身頃１２の両側端部から延長した線上に端部が配置されるとともに、衿芯１３１ａ、１３１ｂと、奥衿１３１ｃとの間にはわずかな隙間が形成されそれぞれ独立している。これにより、長襦袢１を折りたたんだ場合、衿芯１３１ａ、１３１ｂが綺麗に前側に位置するようになり、また奥衿１３１ｃは、衿芯１３１ａ１３１ｂとの間の隙間で折りたたまれるので、後身頃１２の延長上に綺麗にそろった形で折りたたむことができ、持ち運び等に便利となる。つまり、衿芯１３１ａ、１３１ｂ、１３１ｃは一枚の板状ではなくそれぞれが独立しており、半衿１３ａ，１３ｂと、奥衿１３ｃとの間にはわずかな隙間が形成されていることから、長襦袢１を畳む場合に、この隙間により綺麗に畳むことができる。
【００１７】
後身頃１２は、図６に示すように、その外背面に奥衿１３１ｃの下端部には、そこから垂れ下がるようにして垂れ１６が縫い付けられている。この垂れ１６は、奥衿１３１ｃの下端部と略同じ幅を有しており、その上端部だけが奥衿１３１ｃに縫い付けられ、下端部は自由になっている。これにより上衣１を着た状態で垂れ１６を下に引くことで、奥衿１３１ｃも下端部で引っ張られることで衣紋のあきを調整することができる。
この垂れ１６の下端部は、上衣１の裾よりも長く下に位置するようになっており、これにより、垂れ１８を引きやすくなっている。
また、垂れ１６の中間部（胸下の位置）には、輪１７が縫い付けられている。この輪１７は、その長さが、たれ１６の幅の長さと同じに形成されている。この輪１７には、紐１８が通されるようになっている。この紐１８は、布で構成されるとともに、その中間部分がゴム紐となっていることで伸縮自在に構成されており、本例ではその先端部の一端にボタンなどの係合部材が、また他端にはボタンを留めるための穴（係止部材）が形成されている。これにより、長襦袢１を着たときに、この紐１８の端部をボタンで留めることで、紐１８のゴム紐部分の弾力により適度に締め付けた状態で留めることができる。
なお、ボタンを留めるための穴の部分をゴム紐状にしてもよく、少なくとも紐１８のどこか一部にゴム紐が入っているとよい。これにより、紐１８自体をゴム紐とすると、締めすぎてしまうことがあるが、一部だけでゴム紐とすることで、締めすぎを防止し、適度な弾力により締めつけることができる。
【００１８】
上述の上衣１を着るときは、まず着る人がこれを羽織り、上前１１ａ、下前１１ｂをあわせて半衿１３ａ、１３ｂを合わせる。このとき、上衣１に図示しない内紐を上前、下前にそれぞれ取り付けておき、この内紐結ぶことで、着崩れを防止できる。この状態で、紐１８をボタンで留めておいた状態で、垂れ１６を下に引っ張ることで、この垂れ１６に連なる衿肩あき下部左右布を引っ張る。これにより、垂れ１６が引っ張られることで奥衿１３１ｃが下に引っ張られ、衣紋の抜き具合を調整できる。
そして、図６に示すように、衣紋の開き具合が適度なところで、紐１８をボタンなどでしっかりと留めることで、垂れ１６の位置決めを行う。
これにより、長襦袢などを着慣れていない人でも、簡単に自分の好みに衣紋の抜き具合にすることができる。また、垂れ１６は紐１８により固定されることから、着崩れすることなく、綺麗に衣紋抜きをすることができる。
なお、紐１８の上からさらにゴムベルトを巻いてとめるようにしてもよい。
【００１９】
上述のように、本実施形態によれば、二部式となっており、その下衣スカート２は履くだけですでに下衣スカート２が「裾すぼまり」状態となっていることから、難しい着付けを学ばなくとも、誰でも簡単かつ綺麗に着ることができる。
また、二部式となっている上衣１も、背面の垂れ１６を引っ張って調整するだけで、衣紋抜きの具合を調整することができ、自分ひとりでも綺麗に衣紋抜きを作ることができるし、垂れ１６は紐１８により固定されることから、着崩れることなく衣紋抜きを保つことができる。
【００２０】
また、上衣１の衿１３に取り付けられる衿芯１３１ａ、１３１ｂと、奥衿の衿芯１３１ｃとの間にはそれぞれ隙間を開けて別個になっていることから、この上衣１を折りたたむ場合にも、この隙間の部分で折りたたむことでき、綺麗に折りたためる。また衿芯１３１はそれぞれ可撓性を有する薄板状に形成されていることから着たときにはきれに衿の形を出すことができる。
【００２１】
なお、上述の実施形態は本発明を長襦袢に適用した例について説明したが、本発明はこの例に限られるものではなく、同様に着用する和服用の下着であればこれに含まれる。
【産業上の利用可能性】
【００２２】
本発明は、簡単に、かつ、綺麗に着用できる和服用の下着（襦袢）として好適なものである。
【符号の説明】
【００２３】
１      上衣
２      下衣スカート
１１    前身頃
１２    後身頃
１３    半衿
１４    衿
１５    袖
１６    垂れ
１７    輪
１８    紐
【図１】
2016089300.tif 000003
【図２】
2016089300.tif 000004
【図３】
2016089300.tif 000005
【図４】
2016089300.tif 000006
【図５】
2016089300.tif 000007
【図６】
2016089300.tif 000008